(57)【要約】【課題】ライト源照射角度の制御を達成し、照明器具全体を自在に調節して変化させるアート照明器具を提供する。【解決手段】アート照明器具は、最上台座、カバー体、連結装置及び調節部品を設置する。そのうち、該連結装置は環型固定部品でライト台を連結して該ライト台を可動回転させ、別に該調節部品を上下に調整して該環型固定部品を動かし、該ライト台が可動展開するのを制御する。【選択図】図１
0003159944.tif 000002
【実用新案登録請求の範囲】
【請求項１】
アート照明器具において、
一端が接合端で別一端が連接端であり、該連接端は連接桿である最上台座と、
該連接桿を連結し、外縁に複数の第一槽口を設置するカバー体と、
該カバー体を設置する装飾支持台と、
環型固定部品及び複数のライト台から構成され、該ライト台には延長部品を設置し、且つ該延長部品と該環型固定部品を軸設し、それはカバー体及び装飾支持台の間に設置する連結装置と、
該装飾支持台に差し込んで設置し、同時に該環型固定部品を固定する調節部品を含むことを特徴とするアート照明器具。
【請求項２】
前記延長部品は、ほぞ孔を設置し、また両側には固定支持フレームを設置し、且つ該通孔とほぞ孔は固定部品で固定し、ライト台を可動展開させることを特徴とする請求項１記載のアート照明器具。
【請求項３】
前記延長部品は、ほぞ孔を設置し、一側には固定支持フレームを設置し、且つ該通孔とほぞ孔は固定部品及び単方向バネで止め、ライト台を回転、展開及び閉合させることを特徴とする請求項１記載のアート照明器具。
【請求項４】
アート照明器具において、
中空体で且つ最上部及び柱体となる連接桿から構成される最上台座と、
該連接桿を連結し、穿孔を備え、その内壁には複数の第一槽口を設置するカバー体と、
該カバー体を設置し、且つ第一槽口に相対する第二槽口を設置した装飾支持台と、
環型固定部品及び枢設部品及び複数のライト台から構成され、また該ライト台には延長部品を設置し、且つ該延長部品と該環型固定部品及び枢設部品は軸設し、またカバー体及び装飾支持台の間に設置する連結装置と、
該装飾支持台を差込み、同時に該環型固定部品及び該枢設部品を固定する調節部品を含むことを特徴とするアート照明器具。
【請求項５】
前記延長部品は、納置開槽を備えたほぞ孔を設置し、該枢設回転支持フレームを連結し、該ほぞ孔と該滑動槽を固定部品で設置し、該ライト台を該滑動槽内で滑動させることを特徴とする請求項４記載のアート照明器具。
【請求項６】
前記延長部品は、貫通したほぞ孔を設置し、該枢設回転支持フレームを連結し、該ほぞ孔と該滑動槽を固定部品及び単方向バネで設置して該ライト台を回転、展開及び閉合させることを特徴とする請求項４記載のアート照明器具。
【請求項７】
前記調節部品は、その一端に外ネジ凸を設置し、別に該装飾支持台には貫通した内ネジ凸を備えた制御部品を設置し、またそれを該装飾支持台と固定し、該調節部品の上下に固定した制御部品が環型固定部品を動かし、ライト台の閉合と展開を制御することを特徴とする請求項１または４記載のアート照明器具。
【請求項８】
前記調節部品は、凸環を設置し、別に該装飾支持台は貫通長孔を備えた制御部品を設置し、また該装飾支持台と固定し、該制御部品は複数の環槽を設置し、該調節部品を上下に引き、該凸環を調節して環槽の位置に掛合し環型固定部品を動かし、ライト台の閉合と展開を制御することを特徴とする請求項１または４記載のアート照明器具。
【考案の詳細な説明】
【技術分野】
【０００１】
本考案は、照明器具に関するもので、特にライト台を調整して開閉する機能により、ライト源の照射角度をコントロールするアート照明器具に係わる。
【背景技術】
【０００２】
一般的に、照明器具は人の生活に欠かすことのできない役割を担ってきた。工業社会が発展するにつれ、人々の生活水準も向上し、各人が個人や家庭の生活の質や味わいを重視するようになった。ゆったりとした環境で過ごすことによって、仕事でのストレスを和らげ、更には減らす効果がある。そのため、現在の消費者は家の新旧に関わらず適した内装をする。そのうち、アート照明器具は多くの人に受け入れられており、アート照明器具（もしくはシャンデリア）は多くの造型変化を備え、照明という実質的機能の他に、室内環境に合わせて全体の視覚効果も備えている。
【考案の概要】
【考案が解決しようとする課題】
【０００３】
解決しようとする問題点は、公知のアート照明器具は一般に装飾をメインとして、照明角度及び照明位置を固定することは二の次なっている。そのため光の角度を調節する機能を備えていない点である。そのため、全体の視覚感覚を併せ持ち、且つ様々な照明効果を備え、更に環境保護のための節電効果を兼ね備えることが必要である
【課題を解決するための手段】
【０００４】
本考案は、最上台座、カバー体、連結装置及び調節部品を設置する。そのうち、該連結装置は環型固定部品でライト台を連結して該ライト台を可動回転させ、別に該調節部品を上下に調整して該環型固定部品を動かし、該ライト台が可動展開するのを制御することを最も主要な特徴とする。
【考案の効果】
【０００５】
本考案のアート照明器具は、ライト源照射角度の制御を達成し、照明器具全体を自在に調節して変化させるという利点がある。
【図面の簡単な説明】
【０００６】
【図１】本考案のアート照明器具の外観構造指示図である。
【図２】本考案のアート照明器具のシステム構造を組み立てた指示図である。
【図３】本考案のアート照明器具の第一実施例の断面図である。
【図４】本考案のアート照明器具の第一実施例の局部断面図である。
【図５】本考案のアート照明器具の第一実施例の別の一局部断面図である。
【図６】本考案のアート照明器具の第二実施例のシステム構造指示図である。
【図７】本考案のアート照明器具の第二実施例断面図である。
【図８】本考案のアート照明器具の第二実施例の局部断面図である。
【図９】本考案のアート照明器具の第二実施例の別の一局部断面図である。
【図１０】本考案のアート照明器具の第三実施例の指示図である。
【図１１】本考案のアート照明器具の第三実施例の別の一指示図である。
【考案を実施するための形態】
【０００７】
上述を鑑み、本考案の主な目的は、アート照明器具を提供することにある。それは最上台座を設置し、その一端は接合端で、別一端は連接端とする。該連接端は連接桿となる。該連接桿はカバー体を連結し、且つ該カバー体の外縁には複数の第一槽口を設置し、同時に該カバー体は装飾支持台上に設置する。更に該カバー体及び装飾支持台の間には連結装置を設置する。該連結装置は環型固定部品及び複数のライト台から構成され、調節部品を該装飾支持台に差込み、同時に該環型固定部品を固定する。本考案の重要点として、該連結装置は、環型固定部品でライト台を連結し、該ライト台を可動回転させ、別に該調節部品を上下調整して該環型固定部品を動かし、控制該ライト台を動かして展開及び閉合を制御し、ライト源の照射角度の制御を達成し、更に照明器具を様々に変化させる。更に、本考案にはマイナスイオン層を塗布するか、もしくはマイナスイオン発生器を設置してもよく、電源が入ると、マイナスイオンが空気中に分散され、環境を浄化して健康に役立てる。
【実施例１】
【０００８】
本考案の構造構成及び使用方式全体を明らかにするため、以下ととおり、図式と共に説明する。
【０００９】
図１及び図２に示すとおり、本考案「アート照明器具」は、最上台座１０を設置する。その一端は接合端で別一端は連接端で、該連接端は連接桿１１である。該連接桿１１はカバー体２０を連結する。更に該カバー体２０の外縁には複数の第一槽口２１を設置し、同時に該カバー体２０は装飾支持台３０上に設置し、該カバー体２０及び装飾支持台３０の間に連結装置４０を設置する。該連結装置４０は、環型固定部品４１及び複数のライト台４２から構成され、ライト台４２には延長部品４２１を設置して環型固定部品４１に連結し、また該装飾支持台３０は調節部品５０を差込み、該調節部品５０は該環型固定部品４１を固定する。
【００１０】
本考案の第一実施例（図３参照）の重点として、該連結装置４０は、環型固定部品４１にライト台４２を連結する。該ライト台４２は可動回転し、該調節部品５０の上下移動によって該環型固定部品４１を動かし、該ライト台４２の展開、閉鎖を制御する。
【００１１】
該最上台座１０の接合端は、最上部１２である。該最上部１２はネジ固定か、もしくは吸着固定する。更に該最上台座１０は中空体で、その内側には安定器を設置する。他に該連接桿１１は該カバー体２０に連結し、該カバー体２０下方では装飾支持台３０を連結するが、掛合連結もしくは嵌合連接、もしくはネジ止め連結のいずれでもよい。
【００１２】
該環型固定部品とライト台の連結関係（図４参照）は、以下のとおりである。
【００１３】
方式一：該環型固定部品４１は、通孔４１１を備えた固定支持フレーム４１２を複数設置する。該固定支持フレーム４１２は、二本一組で、それぞれ該ライト台４２の延長部品４２１両側に設置し、延長部品４２１に成形したほぞ孔４２２に通孔４１１を合わせて軸設連結し、該ライト台４２はほぞ孔４２２によって軸心回転する。
【００１４】
方式二：該環型固定部品４１は、第一槽口２１位置に相対した通孔４１１を備えた固定支持フレーム４１２を複数設置する。該固定支持フレーム４１２は、延長部品４２１一側に設置し、且つ該通孔４１１とほぞ孔４２２及び単方向バネは軸設連結し、該ライト台４２は、ほぞ孔４２２で軸心回転する。
【００１５】
該ライト台４２の展開及び閉合の作動機構は以下のとおりである。
【００１６】
方式一：該調節部品５０は、その一端に外ネジ凸５１を設置し、該装飾支持台３０には貫通内ネジ凸３１１を備えた制御部品３１を設置し、且つ該調節部品５０と該装飾支持台３０と固定する。該調節部品５０を回転させると、その上下に固定された該制御部品は環型固定部品４１を動かし、ライト台４２の閉合と展開を制御する。
【００１７】
方式二：（図５参照）該調節部品５０は凸環５２を設置し、他に該装飾支持台３０は貫通長孔を備えた制御部品３１を設置し、該制御部品３１は複数の環槽３１２を設置する。また該調節部品５０と該装飾支持台３０を掛合設置し，該調節部品５０を上下に動かすと、該凸環５２が環槽３１２の位置に掛合され、環型固定部品４１を動かし、ライト台４２の閉合と展開を制御する。
【実施例２】
【００１８】
この他、本考案第二実施例（図６参照）は、最上台座１０が中空体で、最上部１２及び柱体となる連接桿１１から構成される。該連接桿１１には掛合部１１１が成形され、それを該カバー体２０に設置した単方向開口凹槽の凸条２２に掛合し、且つ該カバー体２０は穿孔を備え、他に外縁箇所に複数の第一槽口２１を設置する。同時に該カバー体２０は該装飾支持台３０に設置した嵌合凸３２に固定し、且つ該装飾支持台３０は第一槽口２１に相対して第二槽口３３を設置し、別に該カバー体２０及び装飾支持台３０の間には連結装置４０を設置する。また該連結装置４０は環型固定部品４１及び枢設部品４３及び複数のライト台４２から構成され、且つ該ライト台４２は延長部品を設置し、調節部品５０を該装飾支持台３０に差し込んで該環型固定部品４１を固定する。
【００１９】
本考案第二実施例（図７参照）において、該連結装置４０は、環型固定部品４１及び枢設部品４３によってライト台４２を同時に連結し、該ライト台４２は可動回転し、該調節部品５０が上下移動することによって、該環型固定部品４１を動かし、該ライト台４２を制御して開く。
【００２０】
該環型固定部品及び枢設部品とライト台の連結関係（図８参照）はそれぞれ、以下の方式で行う。
【００２１】
方式一：該環型固定部品４１は、通孔４１１を備えた固定支持フレーム４１２を複数設置し、該固定支持フレーム４１２は二本一組で、各々を該ライト台４２の延長部品４２１両側凸部４２３に設置する。該通孔４１１は該凸部４２３に掛合してライト台４２を固定し、延長部品４１２に納置するため開設したほぞ孔４２２と、枢設部品４３に設置した枢設回転支持フレーム４３１の滑動槽４３２を軸設連結し、該ライト台４２は、ほぞ孔４２２で軸心回転する。
【００２２】
方式二：該環型固定部品４１は、通孔４１１を備えた固定支持フレーム４１２を複数設置する。該固定支持フレーム４１２二本一組で各々を該ライト台４２の延長部品４２１両側凸部４２３に設置する。該通孔４１１は該凸部４２３に掛合してライト台４２を固定し、延長部品４２１に通すために開設したほぞ孔４２２と、枢設部品４３に設置した枢設回転支持フレーム４３１の滑動槽４３２及び一単方向バネを軸設連結し、該ライト台４２は滑動槽４３２内で前後に滑動し、該ライト台４２は、ほぞ孔４２２で軸心回転する。
【００２３】
該ライト台４２の展開と閉合の作動機構は、以下のとおりに行う。
【００２４】
方式一：該調節部品５０の一端に外ネジ凸５１を設置し、別に該装飾支持台３０内ネジ凸３１１を備えた制御部品３１を設置し、且つ該調節部品５０と該装飾支持台３０を固定する。該調節部品５０を回転させると、上下で固定した該制御部品３１が環型固定部品４１及び枢設部品４３を動かし、ライト台４２の閉合と展開を制御する。
【００２５】
方式二：（図９参照）該調節部品５０は一凸環５２を設置し、他に該装飾支持台３０は貫通長孔を備えた制御部品３１を設置し、該制御部品３１は複数の環槽３１２を設置し、また該調節部品５０と該装飾支持台３０を掛合設置する。該調節部品５０を上下に引くと、該凸環５２が環槽３１２の位置で掛合し、環型固定部品４１及び枢設部品４３を動かし、ライト台４２の閉合と展開を制御する。
【実施例３】
【００２６】
本考案第三実施例（図１０参照）において、該ライト台は、ライト源を設置する。該ライト源は一般のライト管，もしくは発光ダイオードのライト管でもよく、更に該ライト台周辺に複数の発光ダイオード６０を設置することにより、夜間照明とする。また該発光ダイオードの色は白もしくは青もしくは黄もしくは赤でもよく、本考案使用に美感を添え、雰囲気を高める効果を備える。
【実施例４】
【００２７】
更に本考案第四実施例（図１１参照）において、該ライト台はライト源を設置し、該ライト源は一般のライト管，もしくは発光ダイオードのライト管でもよく、該ライト管周辺に複数の発光ダイオード６０を設置して夜間照明とする。また該発光ダイオードの光の色は白もしくは青もしくは黄もしくは赤のいずれでもよく、本考案に美感を添え、設置環境の雰囲気を高める効果を備える。
【００２８】
また該最上台座は中空体で、在該中空体内には安定器を設置する。
【００２９】
他に本考案は、最上台座、カバー体、装飾支持台、連結装置及び調節部品の部品を備えるが、その表面にマイナスイオン層を塗布するか、もしくは本考案にマイナスイオン発生器を設置する。電源が入ると、マイナスイオンが空気中に分布し、空気を浄化し、健康によい。
【００３０】
上述のとおり、本考案は実施可能なアート照明器具を提供し、法に基づき実用新案を請求する。但し、以上の実施説明及び図式に示すのは、本考案の良好な実施例であるが、それは本考案を制限するものではない。拠って、本考案の構造、装置、特徴、等が近似、雷同している場合、それらはすべて本考案の目的及び請求範囲に含まれるものとする。
【符号の説明】
【００３１】
１０        最上台座
１１        連接桿
１１１      掛合部
１２        最上部
２０        カバー体
２１        第一槽口
２２        凸条
３０        装飾支持台
３１        制御部品
３１１      内ネジ凸
３１２      環槽
３２        嵌合凸
３３        第二槽口
４０        連結装置
４１        環型固定部品
４１１      通孔
４１２      固定支持フレーム
４２        ライト台
４２１      延長部品
４２２      ほぞ孔
４２３      凸部
４３        枢設部品
４３１      枢設回転支持フレーム
４３２      滑動槽
５０        調節部品
５１        外ネジ凸
５２        凸環
６０        発光ダイオード
【図１】
0003159944.tif 000003
【図２】
0003159944.tif 000004
【図３】
0003159944.tif 000005
【図４】
0003159944.tif 000006
【図５】
0003159944.tif 000007
【図６】
0003159944.tif 000008
【図７】
0003159944.tif 000009
【図８】
0003159944.tif 000010
【図９】
0003159944.tif 000011
【図１０】
0003159944.tif 000012
【図１１】
0003159944.tif 000013
【手続補正書】
【提出日】平成22年3月29日(2010.3.29)
【手続補正１】
【補正対象書類名】実用新案登録請求の範囲
【補正対象項目名】請求項２
【補正方法】変更
【補正の内容】
【請求項２】
前記延長部品は、ほぞ孔を設置し、また両側には通孔を備えた固定支持フレームを設置し、且つ該通孔とほぞ孔は固定部品で固定し、ライト台を可動展開させることを特徴とする請求項１記載のアート照明器具。
【手続補正２】
【補正対象書類名】実用新案登録請求の範囲
【補正対象項目名】請求項３
【補正方法】変更
【補正の内容】
【請求項３】
前記延長部品は、ほぞ孔を設置し、一側には通孔を備えた固定支持フレームを設置し、且つ該通孔とほぞ孔は固定部品及び単方向バネで止め、ライト台を回転、展開及び閉合させることを特徴とする請求項１記載のアート照明器具。
【手続補正３】
【補正対象書類名】実用新案登録請求の範囲
【補正対象項目名】請求項５
【補正方法】変更
【補正の内容】
【請求項５】
前記延長部品は、納置開槽を備えたほぞ孔を設置し、枢設部品に設置した枢設回転支持フレームを連結し、該ほぞ孔と該枢設回転支持フレームに設置した滑動槽を固定部品で設置し、該ライト台を該滑動槽内で滑動させることを特徴とする請求項４記載のアート照明器具。
【手続補正４】
【補正対象書類名】実用新案登録請求の範囲
【補正対象項目名】請求項６
【補正方法】変更
【補正の内容】
【請求項６】
前記延長部品は、貫通したほぞ孔を設置し、枢設部品に設置した枢設回転支持フレームを連結し、該ほぞ孔と該枢設回転支持フレームに設置した滑動槽を固定部品及び単方向バネで設置して該ライト台を回転、展開及び閉合させることを特徴とする請求項４記載のアート照明器具。